(57)【要約】【課題】本発明は、バイオセンサを容易かつ確実に取り出すことのできるセンサ収納ケースを提供することを目的とする。【解決手段】本発明のセンサ収納ケース１０を、容器本体１２と蓋体１４とから構成され、長手方向に延びる複数のバイオセンサ１６を収納するセンサ収納ケースである。センサ収納ケース１０は、蓋体１４の裏面に、バイオセンサ１６の長手方向の一端１８又は他端２０が挿入されることが可能であり、底面２２に粘着層を有する複数の凹部２４を備えて構成した。複数の凹部２４は格子２８の目によって構成されている。【選択図】図１
2011012996.tif 000002
【特許請求の範囲】
【請求項１】
容器本体と蓋体とから構成され、長手方向に延びる複数のバイオセンサを収納するセンサ収納ケースにおいて、
前記蓋体の裏面に、前記バイオセンサの長手方向の一端又は他端が挿入されることが可能であり、底面に粘着層を有する凹部を備えたセンサ収納ケース。
【請求項２】
前記凹部が格子の目から成る請求項１に記載するセンサ収納ケース。
【請求項３】
前記凹部の最大幅が、前記バイオセンサの長手方向の一端又は他端が底面に接着し得る大きさである請求項１又は請求項２に記載するセンサ収納ケース。
【請求項４】
前記凹部の最大幅が、前記バイオセンサの長手方向の長さよりも小さい請求項１〜請求項３に記載するセンサ収納ケース。
【請求項５】
容器本体と蓋体とから構成され、長手方向に延びる複数のバイオセンサを収納するセンサ収納ケースにおいて、
前記蓋体の裏面に、前記バイオセンサの長手方向の一端又は他端が接着され得る粘着層を備えたセンサ収納ケース。
【発明の詳細な説明】
【技術分野】
【０００１】
本発明は、血糖値等の測定に使用するまでバイオセンサを収納して保管しておくセンサ収納ケースに関する。
【背景技術】
【０００２】
従来から、バイオセンサを計測表示器の取付口に取り付けて血液等の検体を取り込み、血糖値等を算出して表示することにより、血糖値等を認識することが行われている。このバイオセンサは、センサ収納ケースに複数個収納されて保管され、血糖値等の測定に使用する毎に、１個ずつセンサ収納ケースから取り出されることが多い。このセンサ収納ケースとして、血糖値等の測定に使用する毎に取り出し孔からバイオセンサを取り出すセンサ収納ケースが存在する。例えば、特許文献１に示すバイオセンサカートリッジ（センサ収納ケース）は、血糖値等の測定に使用する毎にバイオセンサがセンサ送出口（取り出し孔）から取り出される。
【０００３】
しかし、取り出し孔からバイオセンサを取り出す従来のセンサ収納ケースの場合、手の不自由な者にとってはバイオセンサの取り出しが困難な場合があった。また、バイオセンサを取り出し孔から取り出す構成であるため、バイオセンサが取り出し孔近辺に引っ掛かってバイオセンサを取り出せないこともあった。
【先行技術文献】
【特許文献】
【０００４】
【特許文献１】特開２００３−４２９９４号公報
【発明の概要】
【発明が解決しようとする課題】
【０００５】
そこで、本発明者は、このような課題の原因を究明してこのような課題を解決するべく、鋭意研究を重ねた結果、本発明に至ったのである。
【０００６】
すなわち、本発明は、バイオセンサを容易かつ確実に取り出すことのできるセンサ収納ケースを提供することを目的とする。
【課題を解決するための手段】
【０００７】
本発明のセンサ収納ケースは、容器本体と蓋体とから構成され、長手方向に延びる複数のバイオセンサを収納するセンサ収納ケースにおいて、前記蓋体の裏面に、前記バイオセンサの長手方向の一端又は他端が挿入されることが可能であり、底面に粘着層を有する凹部を備えたことを特徴とする。
【０００８】
また、本発明のセンサ収納ケースは、前記センサ収納ケースにおいて、前記凹部が格子の目から成ることを特徴とする。
【０００９】
また、本発明のセンサ収納ケースは、前記センサ収納ケースにおいて、前記凹部の最大幅が、前記バイオセンサの長手方向の一端又は他端が底面に接着し得る大きさであることを特徴とする。
【００１０】
また、本発明のセンサ収納ケースは、前記センサ収納ケースにおいて、前記凹部の最大幅が、前記バイオセンサの長手方向の長さよりも小さいことを特徴とする。
【００１１】
また、本発明のセンサ収納ケースは、容器本体と蓋体とから構成され、長手方向に延びる複数のバイオセンサを収納するセンサ収納ケースにおいて、前記蓋体の裏面に、前記バイオセンサの長手方向の一端又は他端が接着され得る粘着層を備えたことを特徴とする。
【発明の効果】
【００１２】
本発明のセンサ収納ケースによれば、バイオセンサの入ったセンサ収納ケースを反転させた後に蓋体を開くことにより、蓋体の底面の粘着層に接着しながら立ち上がっているバイオセンサを摘んで容易に取り出すことができる。このため、手の不自由な者であっても、バイオセンサを容易かつ確実に取り出すことができる。
【図面の簡単な説明】
【００１３】
【図１】本発明のセンサ収納ケースを示す図であり、同図（ａ）は蓋体を閉めた状態の正面断面図であり、同図（ｂ）は、蓋体を開けた状態の平面図である。
【図２】図１のセンサ収納ケースにバイオセンサを入れた状態を示す図であり、同図（ａ）は蓋体を閉めた状態の正面断面図であり、同図（ｂ）は、反転させている状態の正面断面図である。
【図３】図１のセンサ収納ケースにバイオセンサを入れて反転させた後に蓋体を開けた状態の正面断面図である。
【図４】バイオセンサを計測表示器に取り付ける状態を示す斜視図である。
【図５】本発明のセンサ収納ケースの他の実施形態を示す図であり、使用状態を示す正面断面図である。
【発明を実施するための形態】
【００１４】
次に、本発明に係るセンサ収納ケースについて、図面に基づいて詳しく説明する。図１〜図３において、符号１０は本発明のセンサ収納ケースを示す。
【００１５】
本発明のセンサ収納ケース１０は、容器本体１２と蓋体１４とから構成され、長手方向に延びる複数のバイオセンサ１６を収納するセンサ収納ケースである。センサ収納ケース１０は、蓋体１４の裏面に、バイオセンサ１６の長手方向の一端１８又は他端２０が挿入されることが可能であり、底面２２に粘着層を有する複数の凹部２４を備えている。
【００１６】
容器本体１２と蓋体１４とから成るセンサ収納ケース１０は、略円柱形状から成り、中空部２６を有している。容器本体１２及び蓋体１４は一体に形成され、容器本体１２及び蓋体１４の材質は、ポリエチレン、ポリ塩化ビニル、ポリプロピレン等、特に限定されない。
【００１７】
蓋体１４の裏面には、格子２８が設けられ、格子２８の目によって、複数の凹部２４が構成されている。凹部２４の最大幅Ｗは、バイオセンサ１６の長手方向の一端１８又は他端２０が底面２２に接着し得る大きさである。また、凹部２４の最大幅Ｗが、バイオセンサ１６の長手方向の長さＬよりも小さくなるように構成されている。なお、格子２８の表面には、粘着層は設けられていない。
【００１８】
バイオセンサ１６は、図４に示すように、血糖値を測定するために、計測表示器３０に取り付けて使用するバイオセンサである。バイオセンサ１６は、一端１８を計測表示器３０に挿入して取り付け、他端２０に血液を付着して血糖値を測定できる。
【００１９】
このバイオセンサ１６は、図２（ａ）に示すように、本発明のセンサ収納ケース１０内に、複数個入れられて販売される。センサ収納ケース１０内でのバイオセンサ１６の配列方向は、縦向きの他、横向き等、特に限定されない。なお、センサ収納ケース１０内には、図示しない乾燥剤が入れられる。
【００２０】
このようにセンサ収納ケース１０内に収納されたバイオセンサ１６を購入した使用者は、センサ収納ケース１０内に収納した状態で家庭で保管し、バイオセンサ１６によって血糖値を測定する時には、バイオセンサ１６をセンサ収納ケース１０から取り出す。
【００２１】
ここで、使用者は、バイオセンサ１６をセンサ収納ケース１０から取り出す前に、センサ収納ケース１０を手で握持して、図２（ｂ）に示すように、軽く反転させる。これにより、センサ収納ケース１０内のバイオセンサ１６は、センサ収納ケース１０の内壁に当たりながら不規則に転動させられる。不規則に転動させられたバイオセンサ１６の中の幾つかは、一端１８又は他端２０が蓋体１４の裏面の格子２８の目内に入り込み、底面２２の粘着層に接着することとなる。
【００２２】
次に、使用者は、蓋体１４を回動して開き、容器本体１２を開放すると、センサ収納ケース１０内のバイオセンサ１６の中の幾つかは、一端１８又は他端２０が蓋体１４の底面２２の粘着層に接着しながら、図３に示すように他端２０又は一端１８を上にして立ち上がっている。このため、使用者は他端２０又は一端１８を摘んで容易にバイオセンサ１６を取り出すことができる。取り出されたバイオセンサ１６は、計測表示器３０に取り付けられて血糖値の測定が行われる。
【００２３】
このようなセンサ収納ケース１０によれば、バイオセンサ１６の入ったセンサ収納ケース１０を反転させた後に蓋体１４を開くことにより、蓋体１４の底面２２の粘着層に接着しながら立ち上がっているバイオセンサ１６を摘んで容易に取り出すことができる。このため、手の不自由な者であっても、バイオセンサ１６を容易かつ確実に取り出すことができる。また、凹部２４の最大幅Ｗが、バイオセンサ１６の長手方向の長さＬよりも小さいため、バイオセンサ１６全体が蓋体１４の底面２２の粘着層に接着してしまって取り出し難くなることがない。
【００２４】
以上、本発明の一実施形態について説明したが、その他の実施形態であってもよい。例えば、図５に示すように、格子２８の目によって複数の凹部２４が構成され、底面２２に粘着層を有する中蓋４０を、蓋体１４の裏面に装着することにより本発明のセンサ収納ケースを形成してもよい。この中蓋４０を用いれば、通常のセンサ収納ケースを本発明のセンサ収納ケースへ変換して使用できる。
【００２５】
また、本発明は図示した実施形態には限定されない。例えば、容器本体及び蓋体は、一体でなく別体であってもよい。また、凹部を構成する格子の形状は特に限定されない。また、本発明のセンサ収納ケースにおいて、蓋体の裏面に、格子を備えなくともよい。格子を備えなくとも、センサ収納ケースが縦長であり、センサ収納ケース内にバイオセンサが縦向きに配列されていれば、バイオセンサの長手方向の一端又は他端が裏面に接着された状態で蓋体を開いて、その接着されたバイオセンサを容易に取り出すことができる。その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２６】
本発明のセンサ収納ケースによれば、バイオセンサの入ったセンサ収納ケースを反転させた後に蓋体を開くことにより、蓋体の底面の粘着層に接着しながら立ち上がっているバイオセンサを摘んで容易に取り出すことができるため、手の不自由な者であっても、バイオセンサを容易かつ確実に取り出すことができる。このため、バイオセンサを入れて保管するセンサ収納ケースとして広く利用できる。
【符号の説明】
【００２７】
１０：センサ収納ケース
１２：容器本体
１４：蓋体
１６：バイオセンサ
１８：一端
２０：他端
２２：底面
２４：凹部
２８：格子
３０：計測表示器
【図１】
2011012996.tif 000003
【図２】
2011012996.tif 000004
【図３】
2011012996.tif 000005
【図４】
2011012996.tif 000006
【図５】
2011012996.tif 000007